(57)【要約】【課題】  表示される画像の視認性を向上させると共に利便性も向上させたロール式スクリーンを提供する。【解決手段】  ロール式スクリーン８は、画像投写装置から投写される画像以外の被付着面として使用される第１スクリーン面１１０と、画像投写装置から投写される画像の投影面として使用される第２スクリーン面１２０とを備える可撓性でシート状をなすスクリーン本体１００を有して構成する。また、第２スクリーン面は、反射させて画像を表示する面または面に結像させて透過して表示する面で構成する。【選択図】      図１
2006337628.tif 000002
【特許請求の範囲】
【請求項１】
画像投写装置から投写される画像以外の被付着面として使用される第１スクリーン面と、前記画像投写装置から投写される画像の投影面として使用される第２スクリーン面とを備える可撓性でシート状をなすスクリーン本体を有して構成したことを特徴とするロール式スクリーン。
【請求項２】
請求項１に記載のロール式スクリーンであって、
前記スクリーン本体は、前記第１スクリーン面に印刷を行ったことを特徴とするロール式スクリーン。
【請求項３】
請求項１に記載のロール式スクリーンであって、
前記スクリーン本体は、前記第１スクリーン面に画像を表示する画像表示部材を貼付したことを特徴とするロール式スクリーン。
【請求項４】
請求項１に記載のロール式スクリーンであって、
前記スクリーン本体は、前記第１スクリーン面に透明な面部を有し、
前記透明な面部の背面側に前記画像表示部材を貼付し、前記透明な面部を介して前記画像表示部材が視認可能となっていることを特徴とするロール式スクリーン。
【請求項５】
請求項３または請求項４に記載のロール式スクリーンであって、
前記スクリーン本体は、前記第１スクリーン面に前記画像表示部材を取替え可能に保持する保持部を有したことを特徴とするロール式スクリーン。
【請求項６】
可撓性でシート状をなすスクリーン本体を有し、
前記スクリーン本体は、請求項１〜請求項５のいずれか一項に記載の第１スクリーン面と、画像投写装置から投写される画像を透過させて視認可能となる第２スクリーン面とを有して構成したことを特徴とするロール式スクリーン。
【請求項７】
可撓性でシート状をなすスクリーン本体を有し、
前記スクリーン本体は、画像投写装置から投写される画像を透過させずに視認可能となる投影面部と、透過させて視認可能となる投影面部とを有して構成したことを特徴とするロール式スクリーン。
【発明の詳細な説明】
【技術分野】
【０００１】
本発明は、画像投写装置からの画像を投写されるロール式スクリーンに関する。
【背景技術】
【０００２】
従来から、スクリーンは、会議室などに設置され、画像投写装置としてのプロジェクタを用いて、プロジェクタからの投写画像をスクリーンに投影させることで使用されている。また、店舗などにおいて、スクリーンは、画像投写装置としてのプロジェクタの投写画像を投影させることで宣伝・演出を行うために使用されている。なお、特許文献１に示すように、透明の扉または窓にスクリーンを取外し可能に取り付ける機構を設けたスクリーンなども考案されている。また、スクリーンに関して、プロジェクタの投写光と外光とを光の入射方向で分離するスクリーン（例えば、鏡のように入射方向と反射方向の関係で反射させるスクリーンや、入射方向に光を戻すスクリーンなど）や、波長や偏光を利用して分離するスクリーンなど考案され、スクリーンを明るい場所で使用する場合の、プロジェクタからの投写光や外光の反射によるコントラスト低下や視認性低下を防止している。
【０００３】
【特許文献１】特表２００４−５３３６３６号公報
【発明の開示】
【発明が解決しようとする課題】
【０００４】
しかしながら、スクリーンは、画像投写装置からの投写画像を反射させて視認するタイプが殆どであることや、スクリーンを明るい場所で使用する場合、上述したスクリーンを用いても現在の画像投写装置としてのプロジェクタの出射光束では、十分な視認性を得ることができないという課題がある。
【０００５】
本発明は、上記課題に鑑みてなされたものであり、表示される画像の視認性を向上させると共に利便性も向上させたロール式スクリーンを提供することを目的とする。
【課題を解決するための手段】
【０００６】
上述した目的を達成するために、本発明のロール式スクリーンは、画像投写装置から投写される画像以外の被付着面として使用される第１スクリーン面と、画像投写装置から投写される画像の投影面として使用される第２スクリーン面とを備える可撓性でシート状をなすスクリーン本体を有して構成したことを特徴とする。
【０００７】
このようなロール式スクリーンによれば、第１スクリーン面と第２スクリーン面とを備えるスクリーン本体を有したことにより、例えば、ロール式スクリーンの周りの明るさが異なる場合（例えば昼間と夜間など）に、第１スクリーン面または第２スクリーン面のいずれか一方を使用することで、表示される画像の視認性向上を図ることができる。また、第１スクリーン面及び第２スクリーン面の２つの面部を有することで、２つの面部を使い分けることができ、ロール式スクリーンの利便性が向上する。
【０００８】
上記ロール式スクリーンにおいて、スクリーン本体は、第１スクリーン面に印刷を行うことが好ましい。
【０００９】
このようなロール式スクリーンによれば、被付着面として使用される第１スクリーン面に、画像投写装置（例えばプロジェクタ）からの画像以外の画像表示物として印刷を行う（付着する）ことで画像（静止画像）を表示できる。それにより、ロール式スクリーンの周りが明るい場合（例えば昼間など）に視認性向上を図ることができる。
【００１０】
上記ロール式スクリーンにおいて、スクリーン本体は、第１スクリーン面に画像を表示する画像表示部材を貼付することが好ましい。
【００１１】
このようなロール式スクリーンによれば、被付着面として使用される第１スクリーン面に、プロジェクタからの画像以外の画像を表示する表示物として画像表示部材を貼付する（付着する）ことで画像（静止画像）を表示できる。それにより、例えば、ロール式スクリーンの周りが明るい場合（例えば昼間など）に視認性向上を図ることができる。
【００１２】
上記ロール式スクリーンにおいて、スクリーン本体は、第１スクリーン面に透明な面部を有し、透明な面部の背面側に画像表示部材を貼付し、透明な面部を介して画像表示部材が視認可能となっていることが好ましい。
【００１３】
このようなロール式スクリーンによれば、第１スクリーン面に透明な面部により画像表示部材の汚れを防ぐことができ、表示品質を保持することが可能となる。
【００１４】
上記ロール式スクリーンにおいて、スクリーン本体は、第１スクリーン面に画像表示部材を取替え可能に保持する保持部を有することが好ましい。
【００１５】
このようなロール式スクリーンによれば、第１スクリーン面に保持部を有して、画像表示部材を取替え可能に保持するため、画像表示部材は、必要に応じて何度でも取替え可能となる。よって、ロール式スクリーンの利便性が向上する。
【００１６】
上述した目的を達成するために、本発明のロール式スクリーンは、可撓性でシート状をなすスクリーン本体を有し、スクリーン本体は、上述した第１スクリーン面と、画像投写装置から投写される画像を透過させて視認可能となる第２スクリーン面とを有して構成したことを特徴とする。
【００１７】
このようなロール式スクリーンによれば、第１スクリーン面を使用して、画像投写装置（例えばプロジェクタ）から投写される画像以外の被付着面として、他の画像表示物を付着することで表示することができる。また、第２スクリーン面を使用して、画像投写装置（例えばプロジェクタ）をスクリーン本体の背面側に設置して画像を投写（リア投写）させて表示することができる。よって、画像投写装置（例えばプロジェクタ）の設置位置に自由度を持たせることが可能なロール式スクリーンを実現でき、ロール式スクリーンの利便性を向上できる。
【００１８】
上述した目的を達成するために、本発明のロール式スクリーンは、可撓性でシート状をなすスクリーン本体を有し、スクリーン本体は、画像投写装置から投写される画像を透過させずに視認可能となる投影面部と、透過させて視認可能となる投影面部とを有して構成したことを特徴とする。
【００１９】
このようなロール式スクリーンによれば、スクリーン本体に対して画像投写装置（例えばプロジェクタ）を手前側から投写（フロント投写）させて投影面部に表示させることや、背面側から投写（リア投写）させて投影面部に表示させることが可能となる。よって、画像投写装置（例えばプロジェクタ）の設置位置に自由度を持たせることが可能なロール式スクリーンを実現でき、ロール式スクリーンの利便性を向上できる。
【発明を実施するための最良の形態】
【００２０】
以下、本発明の実施形態を図面に基づいて説明する。
（第１実施形態）
【００２１】
図１は、本発明の第１実施形態に係るロール式スクリーンを使用している概略斜視図であり、図１（ａ）は、画像投写装置がスクリーン本体に画像を投写して表示する場合の斜視図であり、図１（ｂ）は、画像投写装置がスクリーン本体に画像を投写せず、印刷による画像を表示する場合の斜視図である。図１を用いて、ロール式スクリーン８と画像投写装置としてのプロジェクタ５との構成を概略説明する。
【００２２】
図１に示すようにロール式スクリーン８は、プロジェクタ５とで画像表示システム１を構成している。プロジェクタ５は、外光の光量を検出する検出部としての光量検出部３０（図２参照）や、光量検出部３０により検出した光量に基づいて所定値に対する光量の大小を判断する判断部と、判断部での判断結果に基づいて画像投写の要否を制御する投写制御部と、スクリーン本体１００のスクリーン面の切替えを指示する信号をロール式スクリーン８に送信する送信部２０とを有している。詳細は後述する。
【００２３】
ロール式スクリーン８は、図１（ａ）に示すように、プロジェクタ５からの画像（動画像および静止画像を含む）の投影用に使用する領域（第２スクリーン面１２０）と、図１（ｂ）に示すように、印刷による画像（静止画像）の表示用に使用する領域（第１スクリーン面１１０）を有する可撓性でありシート状に加工されたスクリーン本体１００を有している。また、ロール式スクリーン８は、スクリーン本体１００を収容するスクリーン収容部２００と、第１スクリーン面１１０または第２スクリーン面１２０のいずれか一方に切替えるスクリーン回動機構部３００とを有している。
【００２４】
スクリーン収容部２００は、スクリーン本体１００の巻取りを行う巻取り機構部２２０と巻出しを行う巻出し機構部２１０とを有して構成される。巻取り機構部２２０は、外装を構成する巻取り側筐体２２１の内部に巻取り部材２２５と巻取りバネ２２６とを収容して構成される。巻出し機構部２１０は、外装を構成する巻出し側筐体２１１の内部に巻出し部材２１５を収容して構成される。詳細は後述する。
【００２５】
巻取り機構部２２０において、巻取りバネ２２６の復元力により巻取り部材２２５を回転させることにより、スクリーン本体１００を巻取る動作を行う。この動作を行うことにより、第１実施形態では、第１スクリーン面１１０が表示用に使用される位置に移動し、スクリーン本体１００のスクリーン面が切替えられる（図１（ｂ）に示す状態）。
【００２６】
巻出し機構部２１０において、スクリーン回動機構部３００が駆動することにより、巻出し部材２１５が回転し、スクリーン本体１００が回転する。これにより、スクリーン本体１００の第１スクリーン面１１０が第２スクリーン面１２０に切替えられる（図１（ａ）に示す状態）。詳細は後述する。
【００２７】
図１（ａ）に示すのは、プロジェクタ５からの投写画像が、スクリーン本体１００の第２スクリーン面１２０に投影されて画像が表示されている状態を示している。第１実施形態では、この状態は、プロジェクタ５の有する光量検出部３０での光量の大きさが所定値より小さいとして判断部に判断された場合であり、特に、夜間における画像表示システム１の動作状態を示している。第２スクリーン面１２０は、プロジェクタ５からの投写画像を投影するための投影面として使用される。
【００２８】
図１（ｂ）に示すのは、プロジェクタ５は画像を投写せず、スクリーン本体１００の第１スクリーン面１１０に印刷された画像を表示している状態を示している。第１実施形態では、この状態は、プロジェクタ５の有する光量検出部３０での光量の大きさが所定値より大きいとして判断部に判断された場合であり、特に、昼間における画像表示システム１の動作状態を示している。第１スクリーン面１１０は、プロジェクタ５から投写される画像以外の被付着面として、他の画像表示物を付着（第１実施形態では印刷）することで使用される。なお、印刷による画像（静止画像）としては、画像や文字を含んでいる。
【００２９】
第１実施形態の画像表示システム１は、昼間と夜間において、スクリーン面を第１スクリーン面１１０と第２スクリーン面１２０とに切替え、上述したように画像をスクリーン本体１００に表示している。
【００３０】
図２は、第１実施形態に係る画像表示システムの概略構成図である。図２を用いて、画像表示システム１を構成するロール式スクリーン８とプロジェクタ５との構成及び動作を説明する。
【００３１】
最初に、プロジェクタ５の構成及び動作を説明する。
プロジェクタ５は、Ａ／Ｄコンバータ１０、ビデオデコーダ１１、画像処理部１２、ＬＣＤ（Liquid Crystal Display）駆動部１３、音声処理部１５、増幅部１６、スピーカ１７、電源１８、ランプ駆動部１９、光学系４０、光量検出部３０、送信部２０及び制御部１４を有して構成される。光学系４０は、光源であるランプ４１と、ランプ４１から出射される出射光を変調する液晶ライトバルブ４２と、変調された出射光を拡大して投写する投写レンズ４３などを有して構成される。
【００３２】
次に、プロジェクタ５の動作を各部の動作説明により説明する。
Ａ／Ｄコンバータ１０は、ＰＣ画像信号入力端子に入力したＰＣ画像データ及び音声データをデジタル信号に変換し、ＰＣ画像データは、画像処理部１２に出力され、音声データは、音声処理部１５に出力される。ビデオデコーダ１１は、ビデオ信号入力端子に入力した画像データ及び音声データをデジタル信号に変換した後に、画像データは、Ｒ・Ｇ・Ｂの色信号に分離し、画像処理部１２に出力され、音声データは、音声処理部１５に出力される。
【００３３】
画像処理部１２は、Ａ／Ｄコンバータ１０またはビデオデコーダ１１から入力した画像データに、フレームレート変換およびスケーリング処理および各種の画像補正を行う。また、画像処理部１２は、画像データにブライトネス調整、コントラスト調整、ガンマ補正処理などの各種の画像補正も併せて行う。このように加工された画像データは、投写用画像信号としてＬＣＤ駆動部１３に出力される。
【００３４】
ＬＣＤ駆動部１３は、画像処理部１２から入力した投写用画像信号に基づき、それぞれの液晶ライトバルブ４２に出力し駆動する。第１実施形態での液晶ライトバルブ４２は３板式の液晶パネルを用いている。
【００３５】
音声処理部１５は、Ａ／Ｄコンバータ１０またはビデオデコーダ１１から入力したデジタル信号である音声データを、アナログ信号に変換する。そして、アナログ信号に変換された音声データは、増幅部１６により増幅し、スピーカ１７により音声として放音される。
【００３６】
電源１８は、電源ケーブルにより、外部のコンセントと接続し、ＡＣ電源をプロジェクタ５の必要各部全体に電力を供給する他、ランプ駆動部１９に電力を供給している。ランプ駆動部１９は、ランプ４１を制御部１４の指示により点灯・非点灯を行う。なお、ランプ４１は、第１実施形態では、放電式の光源として超高圧水銀ランプを用いている。
【００３７】
制御部１４は、プロジェクタ５の動作全体を統括制御している。
【００３８】
光量検出部３０は、第１実施形態では、可視光領域の光を検出する光センサを用いており、光センサは、ケーブルによりプロジェクタ５本体に接続される。光センサは、ロール式スクリーン８の設置される近傍に設置され、ロール式スクリーン８の周囲の外光の光量を検出する。
【００３９】
光量検出部３０は、外光の光量を検出して、その値を制御部１４に出力する。制御部１４は、入力した光量検出部３０からの光量が所定値（閾値）に対して大きいか小さいかを判断する判断部としての働きを行う。また、制御部１４は、判断部での判断結果に基づいて画像投写の要否の制御を行う投写制御部としての働きを行う。そして、制御部１４は、プロジェクタ５が有する送信部２０を介して、判断部での判断結果により、第１スクリーン面１１０または第２スクリーン面１２０のいずれか一方に切替えるための信号をロール式スクリーン８に対して送信する。
【００４０】
第１実施形態では、判断部が、光量検出部３０で検出された光量が閾値より大きいと判断した場合には、制御部１４は、投写制御部として画像を投写させない制御を行う。また、このとき、制御部１４は、送信部２０を介して、第１スクリーン面１１０に切替えるための信号をロール式スクリーン８に送信する。なお、第１実施形態では、光量が閾値より大きいと判断させる状態は、その状態が昼間の状態として対応させている。
【００４１】
また、第１実施形態では、判断部が、光量検出部３０で検出された光量が閾値より小さいと判断した場合には、制御部１４は、投写制御部として画像を投写させる制御を行う。また、このとき、制御部１４は、送信部２０を介して、第２スクリーン面１２０に切替えるための信号をロール式スクリーン８に送信する。なお、第１実施形態では、光量が閾値より小さいと判断させる状態は、その状態が夜間の状態として対応させている。
【００４２】
次に、ロール式スクリーン８の構成及び動作を説明する。
ロール式スクリーン８は、スクリーン本体１００、スクリーン収容部２００及びスクリーン回動機構部３００を有して構成される。
【００４３】
スクリーン本体１００は、第１スクリーン面１１０と第２スクリーン面１２０とを有して構成される。スクリーン収容部２００は、巻出し機構部２１０と巻取り機構部２２０とを有して構成される。巻取り機構部２２０は、巻取り側筐体２２１で囲まれた内部に、巻取り部材２２５と巻取りバネ２２６とを収容して構成される。巻出し機構部２１０は、巻出し側筐体２１１で囲まれた内部に、巻出し部材２１５を有して構成される。
【００４４】
巻取り機構部２２０は、スクリーン本体１００の先端部及び巻取り用の巻取りバネ２２６の先端部が巻取り部材２２５に接続され、巻取りバネ２２６の復元力により巻取り部材２２５を回転させることにより、スクリーン本体１００を巻取る動作を行う。
【００４５】
巻出し機構部２１０は、巻出し部材２１５にスクリーン本体１００の先端部を接続し、巻出し部材２１５の一端に巻出し部材２１５を回動するためのギヤ列（図示省略）が固定されている。そして、巻出し機構部２１０は、端面にスクリーン回動機構部３００が接続され、スクリーン回動機構部３００の有するスクリーン駆動部５２と巻出し部材２１５のギヤ列が接続される。
【００４６】
スクリーン回動機構部３００は、受信部５０と、切替え制御部としてのスクリーン制御部５１と、切替え部としてのスクリーン駆動部５２と、電源５５とを有して構成される。スクリーン駆動部５２は、モータ５３及びギヤ列５４などを有して構成される。
【００４７】
電源５５は、電源ケーブルにより、外部のコンセントと接続し、ＡＣ電源をロール式スクリーン８の必要各部全体に電力を供給する他、スクリーン駆動部５２に電力を供給している。
【００４８】
次に、ロール式スクリーン８の動作を説明する。
ここで、説明の便宜上、ロール式スクリーン８のスクリーン本体１００に対して、現在、第１スクリーン面１１０が使用されている状態であって、プロジェクタ５の送信部２０から、第２スクリーン面１２０に切替えるための信号が送信された状態を前提として説明する。
【００４９】
受信部５０は、プロジェクタ５の送信部２０から送信される第２スクリーン面１２０への切替え信号を受信する。そして、受信した信号をスクリーン制御部５１に出力する。スクリーン制御部５１は、入力した信号に基づいて、スクリーン駆動部５２に第１スクリーン面１１０を第２スクリーン面１２０に切替えるための信号を出力する。
【００５０】
スクリーン駆動部５２は、スクリーン制御部５１からの信号に基づき、モータ５３を駆動する。モータ５３が駆動することにより、ギヤ列５４が連動して回転を開始する。ギヤ列５４は、巻出し機構部２１０の巻出し部材２１５に有するギヤを、図示しないクラッチ機構によりギヤ列５４と噛合わせて、ギヤ列５４の回転により、巻出し部材２１５を回転させる。
【００５１】
巻出し部材２１５の回転により、巻出し部材２１５に先端部を接続するスクリーン本体１００が巻出し部材２１５に巻回される。スクリーン制御部５１の制御により、所定の時間モータ５３を動作させると、スクリーン駆動部５２はモータ５３の動作を停止させる。それにより、スクリーン本体１００は、第１スクリーン面１１０から第２スクリーン面１２０に切替えられる。
【００５２】
上記動作により、プロジェクタ５の投写開始に連動して、スクリーン本体１００の第１スクリーン面１１０が第２スクリーン面１２０に切替えられる。それにより、プロジェクタ５の投写する画像を第２スクリーン面１２０に投影させることができる。
【００５３】
なお、巻出し部材２１５の回転により、スクリーン本体１００が巻出し部材２１５に巻回されると、従動して、巻取り機構部２２０の巻取り部材２２５も回転する。その動作により、巻取り部材２２５に先端部を接続する巻取りバネ２２６も従動して回転し、スクリーン本体１００の第２スクリーン面１２０を第１スクリーン面１１０に切替えるための原動力となる復元力としてエネルギーを蓄えることになる。
【００５４】
次に、ロール式スクリーン８のスクリーン本体１００に対して、現在、第２スクリーン面１２０が使用されている状態であって、プロジェクタ５の送信部２０から、第１スクリーン面１１０に切替えるための信号が送信された状態を前提として説明する。
【００５５】
受信部５０は、プロジェクタ５の送信部２０から送信される第１スクリーン面１１０への切替え信号を受信する。そして、受信した信号をスクリーン制御部５１に出力する。スクリーン制御部５１は、入力した信号に基づいて、スクリーン駆動部５２に第２スクリーン面１２０を第１スクリーン面１１０に切替えるための信号を出力する。
【００５６】
スクリーン駆動部５２は、クラッチ機構によりギヤ列５４と巻出し機構部２１０の巻出し部材２１５に有するギヤとの噛合いを解除させる動作を行う。これにより、巻出し部材２１５は回転自在となる。
【００５７】
この状態になると、巻取り部材２２５に先端部を接続する巻取りバネ２２６に蓄えられている復元力により、巻取りバネ２２６が戻るために回転を開始する。その動作に連動して、巻取り部材２２５が回転する。それにより、先端部を巻取り部材２２５に接続するスクリーン本体１００は、巻取り部材２２５に巻回され、第２スクリーン面１２０が第１スクリーン面１１０に切替えられる。
【００５８】
上記動作により、プロジェクタ５の投写停止に連動して、スクリーン本体１００の第２スクリーン面１２０が第１スクリーン面１１０に切替えられる。それにより、第１スクリーン面１１０に印刷された画像が表示されることになる。
【００５９】
上述した、第１実施形態によれば以下の効果が得られる。
（１）第１実施形態に示すロール式スクリーン８は、第１スクリーン面１１０と第２スクリーン面１２０とを備えるスクリーン本体１００を有している。従って、例えば、ロール式スクリーン８の周りの明るさが明るい場合（光量が大きい場合）には、プロジェクタ５の動作及び連動するロール式スクリーン８の動作により、プロジェクタ５は、投写を行わず、ロール式スクリーン８の面部は、被付着面として使用される第１スクリーン面１１０に切替えられる。また、ロール式スクリーン８の周りの明るさが暗い場合（光量が小さい場合）には、プロジェクタ５の動作及び連動するロール式スクリーン８の動作により、プロジェクタ５は、投写を行い、ロール式スクリーン８の面部は、投影面としての第２スクリーン面１２０に切替えられる。よって、このようなロール式スクリーン８によれば、第１スクリーン面１１０と第２スクリーン面１２０とを備えるスクリーン本体１００を有したことにより、例えば、ロール式スクリーンの周りの明るさが異なる場合（例えば昼間と夜間など）に、第１スクリーン面１１０または第２スクリーン面１２０のいずれか一方を使用することで、表示される画像の視認性向上を図ることができる。また、第１スクリーン面１１０及び第２スクリーン面１２０の２つの面部を有するこで、２つの面部を使い分けることができ、ロール式スクリーン８の利便性が向上する。
【００６０】
（２）第１実施形態によれば、ロール式スクリーン８は、被付着面として使用される第１スクリーン面１１０に画像を印刷されることで表示できるため、光量が大きい（明るい）昼間においては、プロジェクタ５からの投写画像を必要とせず視認性を向上できる。
（第２実施形態）
【００６１】
図３は、本発明の第２実施形態に係るロール式スクリーンにおいて、画像表示部材を第１スクリーン面に付着した断面図である。図３を用いて、第１スクリーン面１１０が、プロジェクタから投写される画像以外の被付着面として使用される場合の説明を行う。
【００６２】
図３に示すように、第１スクリーン面１１０の表面側（視認する面側）には、画像表示部材５００として、第２実施形態では、可撓性を有するシート状の基材に広告用の画像が印刷された印刷広告物５１０が、貼付部材７０となる両面粘着テープ７１により貼付されている。
【００６３】
前記第１実施形態では、第１スクリーン面１１０は印刷により画像を表示しているが、第２実施形態では、第１スクリーン面１１０に、印刷広告物５１０を貼付して表示している。画像表示システム１としての構成は上記構成が異なるのみであり、動作は同様となる。第１スクリーン面１１０に貼付された印刷広告物５１０は、巻取り部材２２５および巻出し部材２１５の動作により巻回される。
【００６４】
上述した、第２実施形態によれば、第１実施形態での効果（１）の他に以下の効果が得られる。
（１）第２実施形態によれば、ロール式スクリーン８は、第１スクリーン面１１０に印刷広告物５１０を貼付して表示されるため、光量が大きい（明るい）昼間においては、プロジェクタ５からの投写画像を必要とせず視認性を向上できる。
（第３実施形態）
【００６５】
図４は、本発明の第３実施形態に係るロール式スクリーンにおいて、画像表示部材が保持部材により保持された断面図である。図４を用いて、第１スクリーン面１１０が、プロジェクタから投写される画像以外の被付着面として使用される場合の説明を行う。
【００６６】
図４に示すように、第１スクリーン面１１０の表面側（視認する面側）には、保持部６０として、可撓性を有し透明でシート状をなすシート部材６１が、横側両端部および下側端部の３方向を第１スクリーン面１１０に貼付され、上側は貼付されない形態で設置される。画像表示部材５００としての印刷広告物５１０は、第１スクリーン面１１０とシート部材６１とで袋状に形成される空間に差込むことにより保持され、シート部材６１を介して表示する。また、印刷広告物５１０は、抜き差しすることにより取替える。
【００６７】
画像表示システム１としての構成は上記構成が異なるのみであり、動作は同様となる。第１スクリーン面１１０に貼付したシート部材６１及び保持される印刷広告物５１０は、巻取り部材２２５および巻出し部材２１５の動作により巻回される。
【００６８】
上述した、第３実施形態によれば、第１実施形態での効果（１）の他に以下の効果が得られる。
（１）第３実施形態によれば、ロール式スクリーン８は、第１スクリーン面１１０に保持部６０としてシート部材６１を用いて印刷広告物５１０を第１スクリーン面１１０とシート部材６１とで袋状に形成される空間に差込むことで表示されるため、光量が大きい昼間においては、プロジェクタ５からの投写画像を必要とせず視認性を向上できる。
【００６９】
（２）第３実施形態によれば、ロール式スクリーン８は、シート部材６１により、例えばロール式スクリーン８を店頭に設置しても印刷広告物５１０を外部の粉塵から保護することができる。また、印刷広告物５１０を抜き差しすることにより容易に取替えることができるため、ロール式スクリーン８の利便性が向上する。
（第４実施形態）
【００７０】
図５は、本発明の第４実施形態に係るロール式スクリーンにおいて、透明な第１スクリーン面を有して、画像表示部材を第１スクリーン面に付着した断面図である。図５を用いて、第１スクリーン面１１１が、プロジェクタから投写される画像以外の被付着面として使用される場合の説明を行う。
【００７１】
図５に示すように、第４実施形態における第１スクリーン面１１１は、第１実施形態から第３実施形態に用いた第１スクリーン面１１０とは、透明な基材を用いて構成されていることが異なる。それにより、画像表示部材５００としての印刷広告物５２０は、印刷広告物５２０の印刷面を第１スクリーン面１１１の裏面側（背面側）に対向する状態で、貼付部材７０となる両面粘着テープ７２により貼付される。印刷広告物５２０は、透明な第１スクリーン面１１１を介して視認される。
【００７２】
画像表示システム１としての構成は上記構成が異なるのみであり、動作は同様となる。第１スクリーン面１１１に貼付された印刷広告物５２０は、巻取り部材２２５および巻出し部材２１５の動作により巻回される。
【００７３】
上述した、第４実施形態によれば、第１実施形態での効果（１）の他に以下の効果が得られる。
（１）第４実施形態によれば、ロール式スクリーン８は、第１スクリーン面１１１を透明な基材で構成され、印刷広告物５２０の印刷側を第１スクリーン面１１１の裏面側（背面側）に対向する状態で貼付され、第１スクリーン面１１１を介して表示する。これにより、光量が大きい昼間においては、プロジェクタ５からの投写画像を必要とせず視認性を向上できる。また、印刷広告物５２０の印刷面（表示面）を第１スクリーン面１１１により保護することができ、印刷広告物５２０の表示品質を保持できる。
（第５実施形態）
【００７４】
図６は、本発明の第５実施形態に係るロール式スクリーンにおいて、透明な第１スクリーン面を有して、画像表示部材が保持部により保持された断面図である。図６を用いて、第１スクリーン面１１１が、プロジェクタ５から投写される画像以外の被付着面として使用される場合の説明を行う。
【００７５】
図６に示すように、透明な第１スクリーン面１１１の裏面側（背面側）には、保持部６０として、可撓性を有し透明でシート状をなすシート部材６２が、横側両端部および下側端部の３方向を第１スクリーン面１１１に貼付され、上側は貼付されない形態で設置される。画像表示部材５００としての印刷広告物５２０は、第１スクリーン面１１１とシート部材６２とで袋状に形成される空間に差込むことにより保持されて表示する。印刷広告物５２０は、透明な第１スクリーン面１１１を介して視認される。また、印刷広告物５２０は、抜き差しすることにより取替える。
【００７６】
画像表示システム１としての構成は上記が異なるのみであり、動作は同様となる。第１スクリーン面１１１に貼付したシート部材６２及び保持される印刷広告物５２０は、巻取り部材２２５および巻出し部材２１５の動作により巻回される。
【００７７】
上述した、第５実施形態によれば、第１実施形態での効果（１）の他に以下の効果が得られる。
（１）第５実施形態によれば、ロール式スクリーン８は、透明な第１スクリーン面１１１の裏面側（背面側）にシート部材６２を貼付することにより袋状の空間を形成し、印刷広告物５２０を形成した空間に差込み、第１スクリーン面１１１を介して画像を表示させる。それにより、光量が大きい昼間においては、プロジェクタ５からの投写画像を必要とせず視認性を向上できる。
【００７８】
（２）第５実施形態によれば、ロール式スクリーン８は、第１スクリーン面１１１とシート部材６２により、例えばロール式スクリーン８を店頭に設置しても印刷広告物５２０を外部の粉塵から保護することができ、印刷広告物５２０の表示品質を保持できる。また、印刷広告物５２０を抜き差しすることにより容易に取替えることができるため、ロール式スクリーン８の利便性が向上する。
（第６実施形態）
【００７９】
図７は、本発明の第６実施形態に係るロール式スクリーンを使用している概略斜視図である。図７を用いて、ロール式スクリーン８と画像投写装置としてのプロジェクタ６との構成を概略説明する。
【００８０】
図７に示すようにロール式スクリーン８は、プロジェクタ６とで画像表示システム２を構成している。第６実施形態に示す画像表示システム２が、第１実施形態に示す画像表示システム１と異なる点は、以下の通りである。
【００８１】
画像表示システム１では画像を投写するプロジェクタがフロント投写可能なプロジェクタ５を用いることとロール式スクリーン８のスクリーン本体１００を構成する第２スクリーン面１２０が可撓性を有する反射型のスクリーンで構成されている。それに対して、画像表示システム２では画像を投写するプロジェクタがリア投写可能なプロジェクタ６を用いることと、ロール式スクリーン８のスクリーン本体１００を構成する第２スクリーン面１２１が可撓性を有する拡散板（図示省略）及びフレネルレンズ（図示省略）を有する透過型のスクリーン面で構成されることである。その他の構成及び動作は、画像表示システム１と同様であるため説明は省略する。
【００８２】
図７に示すように、透過型の第２スクリーン面１２１は、プロジェクタ６により、投写画像を第２スクリーン面１２１の背面側から投写され、第２スクリーン面１２１に画像として結像させる。それにより、第２スクリーン面１２１の表面側から画像を視認することができる。
【００８３】
なお、第６実施形態における第１スクリーン面１１０の構成は、第１実施形態から第５実施形態で用いられる構成と同様に構成される。
【００８４】
上述した、第６実施形態によれば、第１実施形態から第５実施形態までの効果の他に以下の効果が得られる。
（１）第６実施形態によれば、ロール式スクリーン８は、プロジェクタ６から投写される画像を透過させて視認可能となる第２スクリーン面１２１を有して、スクリーン本体１００の背面側に設置されるプロジェクタ６から画像を投写（リア投写）させて表示することができる。これにより、光量が小さい夜間においては、プロジェクタ６からの投写画像により視認性を向上することができる。また、プロジェクタ６は、スクリーン本体１００の背面側に設置されるため、ロール式スクリーン８を店頭に設置した場合に、プロジェクタ６の設置位置に自由度を持たせることが可能となる。このようなロール式スクリーン８により、ロール式スクリーン８の利便性が向上する。
（第７実施形態）
【００８５】
図８は、本発明の第７実施形態に係るロール式スクリーンを使用している概略斜視図である。図８を用いて、ロール式スクリーン９と画像投写装置としてのプロジェクタ７との構成を概略説明する。
【００８６】
図８に示すようにロール式スクリーン９は、プロジェクタ７とで画像表示システム３を構成している。第７実施形態に示す画像表示システム３が、第１実施形態に示す画像表示システム１と異なる点は、ロール式スクリーンの構成が異なることである。
【００８７】
第７実施形態で用いるロール式スクリーン９の構成及び動作に関して説明する。
ロール式スクリーン９は、ロール状に形成されたスクリーン本体６００と回動機構部７００とを有して構成される。スクリーン本体６００は、プロジェクタ７から投写される画像以外の被付着面として使用される第１スクリーン面６１０と、プロジェクタ７から投写される画像の投影面として使用される第２スクリーン面６２０とを有している。なお、第１スクリーン面６１０及び第２スクリーン面６２０は、可撓性でシート状をなしている。回動機構部７００は、円柱形状をなす第１回動部材７１０と第２回動部材７２０とを有して構成される。なお、第７実施形態においては、回動機構部７００が、スクリーン本体６００の第１スクリーン面６１０と第２スクリーン面６２０とを切替える切替え部に対応する。
【００８８】
ロール式スクリーン９は、第１回動部材７１０と第２回動部材７２０とがロール状に形成されたスクリーン本体６００の内側にテンションをかける構造で、スクリーン本体６００を案内して保持している。
【００８９】
ロール式スクリーン９の第１スクリーン面６１０と第２スクリーン面６２０とを切替える場合には、ユーザが、一方のスクリーン面（例えば、第１スクリーン面６１０）の両端部分を把持して、所望するスクリーン面が視認できる位置となるまで引き下げる（または引き上げる）ことにより切替えることになる。ロール式スクリーン８の有するスクリーン回動機構部３００をロール式スクリーン９は有さないため、手動で第１スクリーン面６１０と第２スクリーン面６２０とを切替える。
【００９０】
プロジェクタ７は、第１実施形態で用いたプロジェクタ５が有する送信部２０を有していない点で異なっている。それ以外の構成及び動作はプロジェクタ５と同様である。そのため、プロジェクタ７は、外光の光量を光量検出部３０で検出し、判断部及び投写制御部としての制御部１４で所定の閾値に対して大小を判断して、小さい場合には、プロジェクタ７は画像を投写し、大きい場合には、投写を行わないという制御を行う。しかし、その判断結果に基づいてロール式スクリーン９を駆動させることはできない。
【００９１】
第７実施形態における第１スクリーン面６１０の構成は、第１実施形態から第５実施形態で用いられる構成と同様に構成される。
【００９２】
上述した、第７実施形態によれば以下の効果が得られる。
（１）第７実施形態に示すロール式スクリーン９は、第１スクリーン面６１０と第２スクリーン面６２０とを備えるスクリーン本体６００を有している。従って、例えば、ロール式スクリーン９の周りの明るさが明るい場合（光量が大きい場合）には、プロジェクタ７の動作及びユーザによるロール式スクリーン９の動作により、プロジェクタ７は、投写を行わず、ユーザは、ロール式スクリーン９の面部を被付着面として使用される第１スクリーン面６１０に切替える。また、ロール式スクリーン９の周りの明るさが暗い場合（光量が小さい場合）には、プロジェクタ７の動作及びユーザによるロール式スクリーン９の動作により、プロジェクタ７は、投写を行い、ユーザは、ロール式スクリーン９の面部を投影面としての第２スクリーン面６２０に切替える。よって、このようなロール式スクリーン９によれば、第１スクリーン面６１０と第２スクリーン面６２０とを備えるスクリーン本体６００を有したことにより、例えば、ロール式スクリーン９の周りの明るさが異なる場合（例えば昼間と夜間など）に、第１スクリーン面６１０または第２スクリーン面６２０のいずれか一方を使用することで、表示される画像の視認性向上を図ることができる。また、第１スクリーン面６１０及び第２スクリーン面６２０の２つの面部を有することで、２つの面部を使い分けることができ、ロール式スクリーン９の利便性が向上する。
【００９３】
（２）第７実施形態によれば、ロール式スクリーン９は、第１スクリーン面６１０に画像を印刷されることや、印刷広告物を貼付及び取替え可能に保持され表示できるため、第１実施形態での効果（２）及び第２実施形態から第５実施形態での効果を有する。
【００９４】
なお、本発明は、上述した実施形態に限定されず、種々の変更や改良など加えることが可能である。変形例を以下に述べる。
【００９５】
（変形例１）前記第１実施形態から第６実施形態におけるロール式スクリーン８は、プロジェクタ５，６から投写される画像の投影面として使用される第１スクリーン面１１０，１１１とプロジェクタ５，６から投写される画像以外の被付着面として使用される第２スクリーン面１２０，１２１とで構成される。しかし、これに限らず、プロジェクタから投写される画像を透過させずに視認可能となる投影面部と、透過させて視認可能となる投影面部とを有して構成しても良い。このようなロール式スクリーンよれば、スクリーン本体に対してプロジェクタを前記第１実施形態から第５実施形態における第２スクリーン面１２０と同様に手前側から投写（フロント投写）させて投影面部に反射させることにより画像を表示させることができる。また、プロジェクタを前記第６実施形態における第２スクリーン面１２１と同様に背面側から投写（リア投写）させて投影面部に結像させ、透過して画像を表示させることが可能となる。これにより、プロジェクタの設置位置に自由度を持たせることが可能なロール式スクリーンを実現でき、ロール式スクリーンの利便性を向上することが可能となる。
【００９６】
（変形例２）前記変形例１において、ロール式スクリーンのスクリーン本体は、プロジェクタから投写される画像を透過させずに視認可能となる投影面部と、透過させて視認可能となる投影面部とを備えている。しかし、これに限らず、更に前記第１実施形態から第６実施形態における第１スクリーン面１１０，１１１と同様にプロジェクタから投写される画像以外の被付着面として使用される面を有することでも良い。これにより、フロント投写またはリア投写のプロジェクタのどちらも使用することができると共に、ロール式スクリーン８の周りの明るさが異なる場合（例えば昼間と夜間など）に、各スクリーン面を上述したように使い分けることにより、表示される画像の視認性向上を図ることができる。
【００９７】
（変形例３）前記実施形態における画像表示システム１，２において、ロール式スクリーン８は、プロジェクタ５，６の送信部２０からの信号を受信する受信部５０などのスクリーン回動機構部３００を備えている。しかし、これに限らず、ロール式スクリーン８は、少なくともプロジェクタ５，６から投写される画像以外の被付着面として使用される第１スクリーン面１１０，１１１と、プロジェクタ５，６から投写される画像の投影面として使用される第２スクリーン面１２０，１２１とを備える可撓性でシート状をなすスクリーン本体１００を有して構成されることで良い。これにより、例えば、ロール式スクリーン８の周りの明るさが異なる場合（例えば昼間と夜間など）に、第１スクリーン面１１０，１１１または第２スクリーン面１２０，１２１のいずれか一方を使用することで、視認性向上を図ることができる。また、第１スクリーン面１１０，１１１及び第２スクリーン面１２０，１２１の２つの面部を有することで、２つの面部を使い分けることができ、ロール式スクリーン８の利便性が向上する。
【００９８】
（変形例４）前記第２実施形態及び第４実施形態において、貼付部材７０として、両面粘着テープ７１，７２を用いているが、これに限らず、印刷広告物５１０，５２０の接着側となる面に、剥離可能な粘着剤を塗布して用いても良い。また、面ファスナーなどを第１スクリーン面１１０，１１１と印刷広告物５１０，５２０とに設置し、双方を付着することでも良い。
【００９９】
（変形例５）前記第６実施形態において、ロール式スクリーン８は、拡散板及びフレネルレンズを有して構成される透過型の第２スクリーン面１２１を有し、リア投写可能なプロジェクタ６を用いて、第２スクリーン面１２１に画像として結像させている。しかし、これに限らず、リア投写可能なプロジェクタからの投写画像が第２スクリーン面１２１に結像できる透過型の材質ならば、拡散板及びフレネルレンズを用いなくとも良い。これにより、簡易なロール式スクリーンが実現する。
【０１００】
（変形例６）前記第７実施形態において、プロジェクタ７は、送信部２０を有さず、ロール式スクリーン９はロール式スクリーン８に有するスクリーン回動機構部３００を有さない。しかし、第１実施形態と同様に、プロジェクタ７に第１スクリーン面６１０と第２スクリーン面６２０とを切替えるための信号を送信する送信部を有し、ロール式スクリーン９に信号を受信する受信部やスクリーン面を自動で切替えるためのスクリーン回動機構部を有することでも良い。それにより、画像表示システム３の利便性が向上する。
【０１０１】
（変形例７）前記第１実施形態から第６実施形態において、スクリーン本体１００は、第１スクリーン面と第２スクリーン面とを有して構成されている。しかし、この２つの面部に限られるわけでなく、複数の面部を有して構成されても良い。
【０１０２】
（変形例８）前記実施形態において、光量検出部３０の設置位置は、ロール式スクリーンの近傍としているが、この位置に限られるものではなく、昼間と夜間の光量の差が検出できる場所であればどこでも良い。また、光量検出部３０は、可視光領域の光を検出する光センサを用いているが、これに限られるものではなく、昼間と夜間の光量の差が検出できるセンサであれば、センサの種類は問わない。よって、各センサが使用可能となる。
【０１０３】
（変形例９）前記第１実施形態から第６実施形態において、プロジェクタ５，６に光量検出部３０及び送信部２０を有して、制御部１４に、光量の大小を判断する判断部と画像投写の要否の制御を行う投写制御部として機能させている。また、ロール式スクリーン８に受信部５０を有している。しかし、これに限らず、ロール式スクリーン８に、光量検出部及び送信部を構成する。そして、光量の大小を判断する判断部と、判断結果によりプロジェクタ５，６に画像投写の要否の投写指示を行う投写指示部として機能する制御部と、投写指示部の信号を送信する送信部とを構成する。また、プロジェクタ５，６には、ロール式スクリーン８の送信部から送信される信号を受信する受信部を構成し、その信号に基づいてプロジェクタ５，６の制御部１４は、投写の制御を行うことでも良い。
【０１０４】
（変形例１０）前記実施形態において、ロール式スクリーン８を構成するスクリーン収容部２００の構成及びスクリーン回動機構部３００のスクリーン駆動部５２の構成などは、前記実施形態に限定されるものではなく、本発明の要旨を変更しない範囲で適宜変更や改良を行っても良い。
【０１０５】
（変形例１１）前記実施形態において、プロジェクタ５，６，７は光源として、放電式の超高圧水銀ランプを用いている。しかし、これに限らず、ＬＥＤ（Light Emitting Diode）を用いたランプでも良い。
【０１０６】
（変形例１２）前記実施形態において、プロジェクタ５，６，７は、透過型液晶方式のプロジェクタである。しかし、これに限らず、ＤＬＰ（登録商標）（Digital Light Processing）方式、及び、反射型液晶方式であるＬＣＯＳ（Liquid Crystal On Silicon）方式などを採用したプロジェクタであっても良い。
【０１０７】
（変形例１３）前記実施形態及び前記変形例において、画像投写装置としてプロジェクタを例に説明した。しかし、これに限られることなく、画像投写装置としてＯＨＰ（OverHead Projector）など、画像を投写できる装置であれば本発明のロール式スクリーンを使用することができ、上述と同様の効果を奏することが可能である。
【図面の簡単な説明】
【０１０８】
【図１】本発明の第１実施形態に係るロール式スクリーンを使用している概略斜視図であり、図１（ａ）は、画像投写装置がスクリーン本体に画像を投写して表示する場合の斜視図であり、図１（ｂ）は、画像投写装置がスクリーン本体に画像を投写せず、印刷による画像を表示する場合の斜視図である。
【図２】画像表示システムの概略構成図である。
【図３】本発明の第２実施形態に係るロール式スクリーンにおいて、画像表示部材を第１スクリーン面に付着した断面図である。
【図４】本発明の第３実施形態に係るロール式スクリーンにおいて、画像表示部材が保持部材により保持された断面図である。
【図５】本発明の第４実施形態に係るロール式スクリーンにおいて、透明な第１スクリーン面を有して、画像表示部材を第１スクリーン面に付着した断面図である。
【図６】本発明の第５実施形態に係るロール式スクリーンにおいて、透明な第１スクリーン面を有して、画像表示部材が保持部により保持された断面図である。
【図７】本発明の第６実施形態に係るロール式スクリーンを使用している概略斜視図である。
【図８】本発明の第７実施形態に係るロール式スクリーンを使用している概略斜視図である。
【符号の説明】
【０１０９】
１〜３…画像表示システム、５〜７…プロジェクタ、８，９…ロール式スクリーン、１０…Ａ／Ｄコンバータ、１１…ビデオデコーダ、１２…画像処理部、１３…ＬＣＤ駆動部、１４…制御部、１５…音声処理部、１６…増幅部、１７…スピーカ、１８…電源、１９…ランプ駆動部、２０…送信部、３０…光量検出部、４０…光学系、４１…ランプ、４２…液晶ライトバルブ、４３…投写レンズ、５０…受信部、５１…スクリーン制御部、５２…スクリーン駆動部、５３…モータ、５４…ギヤ列、５５…電源、６０…保持部、６１，６２…シート部材、７０…貼付部材、７１，７２…両面粘着テープ、１００…スクリーン本体、１１０，１１１…第１スクリーン面、１２０，１２１…第２スクリーン面、２００…スクリーン収容部、２１０…巻出し機構部、２１１…巻出し側筐体、２１５…巻出し部材、２２０…巻取り機構部、２２１…巻取り側筐体、２２５…巻取り部材、２２６…巻取りバネ、３００…スクリーン回動機構部、５００…画像表示部材、５１０，５２０…印刷広告物、６００…スクリーン本体、６１０…第１スクリーン面、６２０…第２スクリーン面、７００…回動機構部、７１０…第１回動部材、７２０…第２回動部材。
【図１】
2006337628.tif 000003
【図２】
2006337628.tif 000004
【図３】
2006337628.tif 000005
【図４】
2006337628.tif 000006
【図５】
2006337628.tif 000007
【図６】
2006337628.tif 000008
【図７】
2006337628.tif 000009
【図８】
2006337628.tif 000010